(57)【特許請求の範囲】
【請求項１】
第１の基板に第１の電極および第２の電極を表示ラインごとに平行に配置すると共に、前記第１の基板と対向する第２の基板に第３の電極を前記第１および第２の電極と交差するように配置したプラズマディスプレイパネルを駆動する方法であって、
前記プラズマディスプレイパネルにて表示画面を形成する複数のフレームの各々が、所定の輝度を有する複数のサブフレームにより構成され、各々の前記サブフレームは、アドレス期間と、該アドレス期間の後に維持放電を行う維持放電期間とを有し、
前記維持放電を実行したセルに対してのみ自己消去放電を行い、かつ少なくとも一つの表示ラインの全セルに対しプライミング放電を実行するためのプライミングパルスを印加する期間を含み、
前記プライミングパルスの印加電圧は、前記維持放電を実行したセルに対してのみ自己消去放電を行うために印加される消去パルスより高い電圧のパルスであって、
前記プライミング放電で残留形成する壁電荷として、前記維持放電を実行したセルに対して前記自己消去放電を行うために印加する前記消去パルスに対し、逆の極性を持つ電荷を残留させることを特徴とするプラズマディスプレイパネル駆動方法。
【請求項２】
前記維持放電の最終パルスとして、前記自己消去放電を行うために印加する前記消去パルスと逆の極性のパルスを印加する請求項１記載の駆動方法。
【請求項３】
前記自己消去放電を発生させるために印加する前記消去パルスの電圧を、前記維持放電を実行するための電圧以上であって、前記プライミングパルスの印加電圧以下とする請求項１記載の駆動方法。
【請求項４】
第１の基板に第１の電極および第２の電極を表示ラインごとに平行に配置すると共に、前記第１の基板と対向する第２の基板に第３の電極を前記第１および第２の電極と交差するように配置したプラズマディスプレイパネルを駆動する方法であって、
前記プラズマディスプレイパネルにて表示画面を形成する複数のフレームの各々が、所定の輝度を有する複数のサブフレームにより構成され、各々の前記サブフレームは、プライミング放電を行う期間と、アドレス期間と、該アドレス期間の後に維持放電を行う維持放電期間とを有し、
各サブフレーム毎または各フレーム毎に、少なくとも一つの表示ラインの全セルに対し傾きの緩やかな波形を前記第１の電極または前記第２の電極に印加して前記プライミング放電を実行するものであり、
前記傾きの緩やかな波形とは逆の極性を持つ壁電荷を、前記プライミング放電に先立って残留させることを特徴とするプラズマディスプレイパネル駆動方法。
【請求項５】
前記維持放電を実行した後、前記傾きの緩やかな波形を印加すべき電極と同じ第１の電極または前記第２の電極に対し、前記傾きの緩やかな波形とは逆極性の傾きの緩やかな消去パルスを印加して消去放電を行う請求項４記載の駆動方法。
【請求項６】
前記維持放電を実行した後、前記傾きの緩やかな波形を印加すべき電極と同じ第１の電極または第２の電極に対し、前記傾きの緩やかな波形とは逆極性の太幅消去パルスを印加して消去放電を行う請求項４記載の駆動方法。
【請求項７】
前記維持放電を実行した後、前記傾きの緩やかな波形を印加すべき電極と同じ第１の電極または第２の電極に対し、前記傾きの緩やかな波形と同じ極性の細幅消去パルスを印加して消去放電を行う請求項４記載の駆動方法。
【請求項８】
前記維持放電を実行した後、前記傾きの緩やかな波形を印加すべき電極とは別の第１の電極または第２の電極に対し、前記傾きの緩やかな波形と同じ極性の傾きの緩やかな消去パルスを印加して消去放電を行う請求項４記載の駆動方法。
【請求項９】
前記維持放電を実行した後、前記傾きの緩やかな波形を印加すべき電極とは別の第１の電極または第２の電極に対し、前記傾きの緩やかな波形と同じ極性の太幅消去パルスを印加して消去放電を行う請求項４記載の駆動方法。
【請求項１０】
前記維持放電を実行した後、前記傾きの緩やかな波形を印加すべき電極とは別の第１の電極または第２の電極に対し、前記傾きの緩やかな波形とは逆の極性の細幅消去パルスを印加して消去放電を行う請求項４記載の駆動方法。
【発明の詳細な説明】
【０００１】
【発明の属する技術分野】
本発明は、メモリ機能を有する表示素子であるセルの集合によって構成された表示パネルを駆動する技術に係り、特に、交流（ＡＣ）型のプラズマディスプレイパネル（Ｐｌａｓｍａ  Ｄｉｓｐｌａｙ  Ｐａｎｅｌ：通常、プラズマディスプレイパネルを含むプラズマディスプレイ装置全体をＰＤＰとよぶ）の背景発光を低減することを目的としたプラズマディスプレイパネル駆動方法に関する。
【０００２】
上記のＡＣ型プラズマディスプレイパネルは、２本の維持放電用の電極に、交互に電圧波形を印加することで放電を持続し、発光表示を行うものである。１度の放電は、パルス印加後、数μｓで終了する。放電によって発生した正電荷であるイオンは、負の電圧が印加されている電極上の絶縁層に蓄積され、同様に負電荷である電子は、正の電圧が印加されている電極上の絶縁層に蓄積される。
【０００３】
したがって、初めに高い電圧（書き込み電圧）のパルス（書き込みパルス）で放電させて壁電荷を生成した後、極性の異なる前回よりも低い電圧（維持放電電圧）のパルス（維持放電パルス、すなわち、サステインパルス）を印加すると、前に蓄積された壁電荷が重複され、放電空間に対する電圧は大きなものとなり、放電電圧のしきい値を越えて放電を開始する。つまり、一度書き込み放電を行い壁電荷を生成したセルは、その後、維持放電パルスを交互に逆極性で印加することで、放電を持続するという特徴がある。これをメモリ効果、またはメモリ駆動と呼んでいる。ＡＣ型プラズマディスプレイパネルは、このメモリ効果を利用して表示を実現するものである。
【０００４】
【従来の技術】
ＡＣ型プラズマディスプレイパネルには、２本の電極で選択放電（アドレス放電）および維持放電を行う２電極型と、第３の電極を利用してアドレス放電を行う３電極型がある。多階調表示を行うカラープラズマディスプレイパネルでは、放電により発生する紫外線によってセル内の蛍光体を励起しているが、この蛍光体は、放電により同時に発生する正電荷であるイオンの衝撃に非常に弱いという欠点がある。上記の２電極型では、蛍光体がイオンに直接当たるような構成になっているため、蛍光体の寿命低下を招くおそれがある。これを回避するために、カラープラズマディスプレイパネルでは、面放電を利用した３電極型（すなわち、面放電型プラズマディスプレイパネル）が一般に使用されている。
【０００５】
カラー表面を行う３電極・面放電・ＡＣ型プラズマディスプレイパネルとして、図１９にその概略的平面図に示すようなものが知られている。図２０は同様に水平方向の概略的断面図を示すものである。
パネル１は、２枚のガラス基板（前面ガラス基板８および背面ガラス基板９）によって構成されている。第１のガラス基板である前面ガラス基板８は、平行する維持電極である第１および第２の電極（Ｘ電極２、Ｙ電極３−１〜３−Ｎ（Ｎは２以上の任意の正の整数））を備えており、これらの電極は透明電極１４とバス電極１３によって構成されている。透明電極１４は蛍光体１２からの反射光を透過させる役割があるため、ＩＴＯ（酸化インジュームを主成分とする透明の導体膜）等によって形成される。また、バス電極１３は、電極抵抗による電圧ドロップを防ぐため、低抵抗にて形成する必要があり、ＣｒやＣｕによって形成される。さらにそれらを、誘電体層（ガラス）１０で被覆し、放電面には保護膜としてＭｇＯ（酸化マグネシューム）膜１１を形成する。また、前記第１のガラス基板と向かい合う第２のガラス基板である背面ガラス基板９には、第３の電極（アドレス電極Ａ１〜ＡＭ（Ｍは２以上の任意の正の整数））を、維持電極と直交する形で形成する。また、アドレス電極Ａ１〜ＡＭは誘電体層１０で覆い、障壁６を形成し、その障壁６の間には、赤、緑および青の発光特性を持つ蛍光体１２を形成する。障壁６の尾根と、ＭｇＯ膜１１の面が密着する形で２枚のガラス基板が組み立てられている。
【０００６】
セル５の選択を行うアドレス放電は、アドレス電極とＹ電極を選択することで実行される。また、維持放電は、Ｘ電極とＹ電極間で行われる。上記のような構造のパネル１では、維持電極間のギャップが狭い方（放電スリットと呼ぶ）で維持放電が行われ、広い方のギャップ（逆スリットと呼ぶ）では、維持放電は起こさない。
【０００７】
さらに、全面の維持電極の配置は、第１表示ラインのＸ電極２、第１表示ラインのＹ電極３−１、第２表示ラインのＸ電極２、第２表示ラインのＹ電極３−２、第３表示ラインＸ電極２、第３表示ラインのＹ電極３−３、…、となっている。
図２１は、上記のプラズマディスプレイパネル駆動装置等を使用した場合の従来のプラズマディスプレイパネル駆動方法を説明するためのタイミングチャートである。
【０００８】
図２１のタイミングチャートにおいては、プラズマディスプレイパネルの表示画面を形成するためのフレームの構成と、各々の電極に対する各種の駆動電圧パルスの電圧波形が例示されている。通常、一つのフレームは、それぞれ異なる発光期間（厳密にいえば、維持放電期間）を設定することによって多階調表示を行うための複数のサブフレームに区分される。各々のサブフレームは、壁電荷の初期化期間（リセット期間）と、リセット期間実行後に選択されたセルに対し表示データの選択書き込み放電（すなわち、アドレス放電）を行うアドレス期間と、このアドレス放電を維持するための維持放電を利用して選択されたセルの発光表示を繰り返し行う維持放電期間とを有している。
【０００９】
さらに詳しく説明すると、各フレームで１回以上行うプライミング放電期間では、セルの起動時のみ放電開始電圧以上の電圧Ｖｗの全セル書き込みパルスをＸ電極に印加すると共に、Ｘ電極およびＹ電極での面放電を安定に行う電圧Ｖａｗ（例えば、Ｖｗ／２）をアドレス電極に印加することによって、安定な全面書き込み／自己消去を行っている。
【００１０】
上記の全セル書き込みパルスが立ち下がると、Ｘ電極およびＹ電極間に形成された壁電荷による壁電圧が放電開始電圧より大きくなり、全セル自己消去放電が生ずる。実際には、全てのネガティブな極性の壁電荷は完全に中和されず、わずかな壁電荷がセル内に残留する。ここで、ネガティブな極性の壁電荷とは、Ｘ電極に負の壁電荷が残留し、Ｙ電極に正の壁電荷が残留している状態の壁電荷を意味する。上記の全セル書き込みパルスの印加による全セル書き込み放電および全セル自己消去放電は、プラズマディスプレイパネルの表示画面の背景発光を生じさせる機能を有しており、このような機能はプライミング効果として知られている。この意味において、上記の全セル書き込みパルスはプライミングパルスとよばれており、このプライミングパルスによる全セル書き込み放電は、プライミング放電とよばれている。
【００１１】
上記の各サブフレームの第２番目のアドレス期間では、選択されたセルを点灯（発光表示）させて表示データの書き込みを実行するためのアドレス放電に必要な電圧Ｖａのアドレスパルスをアドレス電極に印加すると共に、電圧ＶｘのアドレスパルスをＸ電極に印加する。さらに、電圧Ｖａのアドレスパルスをアドレス電極に印加した後に、電圧−Ｖｙの走査パルスをＹ電極に印加する。
【００１２】
上記の各サブフレームの第３番目の維持放電期間では、アドレス放電を維持する維持放電を行うための電圧Ｖｓのサステインパルスの列がＸ電極に印加されると共に、これらのサステインパルスの列の位相を１８０°（１／２周期）ずらした状態の電圧Ｖｓのサステインパルスの列がＹ電極に印加される。さらに、最初のサステインパルスの立ち上がりに同期して、アドレス電極に電圧Ｖｅの電圧パルスが印加され、この電圧パルスは維持放電期間が終了するまで保持される。
【００１３】
上記のとおり、図２１に示す従来のプラズマディスプレイパネル駆動方法においては、各サブフレーム（または、多階調表示を行わない場合等は各フレーム）に１度は、最初のリセット期間にて放電開始電圧より大きい電圧のプライミングパルスをＸ電極またはＹ電極に印加していた。さらに、アドレス期間におけるアドレス放電を安定に行えるようにするために、各サブフレームの最初のリセット期間にて、所定の電圧をアドレス電極に印加していた。
【００１４】
【発明が解決しようとする課題】
しかしながら、前述のようなプラズマディスプレイパネル駆動方法を採用した場合、電源投入時、プライミングのない状態からプライミング放電を発生させなければならない。これに必要な電圧を印加するため、次のサブフレームのプライミング放電にて必要以上の大きな放電が発生し、表示画面の背景発光の上昇を引き起こすという不都合が生ずる。また一方で、背景発光を低減するために、全セルに対してプライミング放電による書き込みを行わず、維持放電を行ったセルに対してのみ、太幅消去パルスまたは細幅消去パルスによる消去放電を実行することも考えられる。ただし、太幅消去パルスや細幅消去パルスを使用した場合、スキャンパルスの電圧Ｖｙに対するアドレスパルスの電圧Ｖｘの関係を示す駆動マージンが非常に狭くなり、経時変化や温度変化等に対し不安定になる。
【００１５】
本発明は上記問題点に鑑みてなされたものであり、プライミング放電により必要以上の大きな放電が発生して背景発光が上昇するのを抑止すること、また一方で、各サブフィールド毎に全セルに対して書き込み／自己消去を行うのでなく、維持放電したセルに対してのみ自己消去放電を発生させ、安定したプラズマディスプレイパネルの駆動を実現することが可能なプラズマディスプレイパネル駆動方法を提供することを目的とするものである。
【００１６】
【課題を解決するための手段】
上記問題点を解決するために、本発明は、第１の基板に第１の電極および第２の電極を表示ラインごとに平行に配置すると共に、上記第１の基板と対向する第２の基板に第３の電極を上記第１および第２の電極と交差するように配置したプラズマディスプレイパネルを駆動する方法を提供する。
【００１７】
このプラズマディスプレイパネル駆動方法においては、上記プラズマディスプレイパネルにて表示画面を形成する複数のフレームの各々が、所定の輝度を有する複数のサブフレームにより構成され、各々の上記サブフレームは、アドレス期間と、このアドレス期間の後に維持放電を行う維持放電期間とを有し、２つ以上のフレームに対し一度だけ、少なくとも一つの表示ラインの全セルに対しプライミング放電を実行するようにしている。
【００１８】
さらに、本発明のプラズマディスプレイパネル駆動方法においては、上記プラズマディスプレイパネルにて表示画面を形成する複数のフレームの各々が、所定の輝度を有する複数のサブフレームにより構成され、各々の上記サブフレームは、アドレス期間と、このアドレス期間の後に維持放電を行う維持放電期間とを有し、上記維持放電を実行したセルに対してのみ自己消去放電を行うようにしている。
【００１９】
さらに、本発明のプラズマディスプレイパネル駆動方法においては、少なくとも一つの表示ラインの全セルに対しプライミング放電を実行するためのプライミングパルスを印加する期間を含み、上記プライミングパルスの印加電圧は、上記維持放電を実行したセルに対してのみ自己消去放電を行うために印加される消去パルスより高い電圧のパルスであるようにしている。
【００２０】
好ましくは、本発明のプラズマディスプレイパネル駆動方法では、上記プライミング放電で残留形成する壁電荷として、上記維持放電を実行したセルに対して上記自己消去放電を行うために印加する上記消去パルスに対し、逆の極性を持つ電荷を残留させるように、上記自己消去放電を行うために印加する書き込みパルスと同じ極性のパルスを印加するようにしている。
【００２１】
さらに、好ましくは、本発明のプラズマディスプレイパネル駆動方法では、上記維持放電の最終パルスとして、上記自己消去放電を行うために印加する上記消去パルスと逆の極性のパルスを印加するようにしている。
さらに、好ましくは、本発明のプラズマディスプレイパネル駆動方法では、上記自己消去放電を発生させるために印加する上記消去パルスの電圧を、上記維持放電を実行するための電圧以上であって、上記プライミングパルスの印加電圧以下とするようにしている。
【００２２】
さらに、本発明のプラズマディスプレイパネル駆動方法においては、上記プラズマディスプレイパネルにて表示画面を形成する複数のフレームの各々が、それぞれ輝度の異なる複数のサブフレームにより構成され、各々の上記サブフレームは、プライミング放電を行う期間と、アドレス期間と、このアドレス期間の後に維持放電を行う維持放電期間とを有し、各サブフレーム毎または各フレーム毎に、選択された表示ラインの全セルに対し傾きの緩やかな波形を上記第１の電極または上記第２の電極に印加して上記プライミング放電を実行する際に、上記傾きの緩やかな波形とは逆の極性を持つ壁電荷を直前までに残留させるようにしている。
【００２３】
さらに、好ましくは、本発明のプラズマディスプレイパネル駆動方法では、上記維持放電を実行した後、上記傾きの緩やかな波形を印加すべき電極と同じ第１の電極または上記第２の電極に対し、上記傾きの緩やかな波形とは逆極性の傾きの緩やかな消去パルスを印加して消去放電を行うようにしている。
さらに、好ましくは、本発明のプラズマディスプレイパネル駆動方法では、上記維持放電を実行した後、上記傾きの緩やかな波形を印加すべき電極と同じ第１の電極または第２の電極に対し、上記傾きの緩やかな波形とは逆極性の太幅消去パルスを印加して消去放電を行うようにしている。
【００２４】
さらに、好ましくは、本発明のプラズマディスプレイパネル駆動方法では、上記維持放電を実行した後、上記傾きの緩やかな波形を印加すべき電極と同じ第１の電極または第２の電極に対し、上記傾きの緩やかな波形と同じ極性の細幅消去パルスを印加して消去放電を行うようにしている。
さらに、好ましくは、本発明のプラズマディスプレイパネル駆動方法では、上記維持放電を実行した後、上記傾きの緩やかな波形を印加すべき電極とは別の第１の電極または第２の電極に対し、上記傾きの緩やかな波形と同じ極性の傾きの緩やかな消去パルスを印加して消去放電を行うようにしている。
【００２５】
さらに、好ましくは、本発明のプラズマディスプレイパネル駆動方法では、上記維持放電を実行した後、上記傾きの緩やかな波形を印加すべき電極とは別の第１の電極または第２の電極に対し、上記傾きの緩やかな波形と同じ極性の太幅消去パルスを印加して消去放電を行うようにしている。
さらに、好ましくは、本発明のプラズマディスプレイパネル駆動方法では、上記維持放電を実行した後、上記傾きの緩やかな波形を印加すべき電極とは別の第１の電極または第２の電極に対し、上記傾きの緩やかな波形とは逆の極性の細幅消去パルスを印加して消去放電を行うようにしている。
【００２６】
前述したように、電源投入時、すなわち、セルの起動時には、プライミングのない状態からプライミング放電を発生させなければならない。このときに、低い電圧のプライミングパルスを印加すると、プライミング放電が発生しないおそれが生ずる。そこで、本発明のプラズマディスプレイパネル駆動方法によれば、セルの起動時のみ、その後のプライミングパルスより高い電圧のプライミングパルスを印加するようにし、それ以後のプライミング放電時においては、それより低い電位のプライミングパルスを印加するようにしている。このようにして、必要以上に大きな放電が発生するのを抑えることにより、背景発光を従来よりも低減させることができる。
【００２７】
また、表示画面の背景発光を生じさせるプライミング放電は、通常、１サブフレームまたは１フレームに１回は行っている。本発明では、上記のプライミング放電を２サブフレームまたは２フレーム以上の間隔で行うことにより、背景発光の上昇を抑えるようにしている。
さらに、従来は、各サブフィールド毎に全セルに対するプライミング放電（壁電荷の初期化放電）を行っていた。また、従来は、表示画面の背景発光を低減させるために、維持放電を実行していたセルのみ消去放電を行う駆動方法が使用されていた。この場合、消去放電を行う消去パルスとして、細幅消去パルスや太幅消去パルスを用いていた。しかしながら、このタイプの消去パルスは、パルス幅や電位に大きく制限され、セルの特性のばらつき等に対して非常に弱く、駆動マージンを減少させる大きな原因になっている。本発明では、このような制約を受けない書き込み放電／自己消去放電方式が採用されており、維持放電を行ったセルに対してのみ、この自己消去放電を発生させることができるので、背景発光を低減させて、さらに安定したプラズマディスプレイパネルの駆動を実現することが可能になる。
【００２８】
さらに、本発明では、表示画面の背景発光を低減させるために、プライミング放電である全セルに対する全セル書き込み放電を、傾きの緩やかなパルスを使用して行う場合がある。このような傾きの緩やかなパルスは、背景発光の小さな放電を繰り返すことによって同パルスとは逆の極性の壁電荷を形成する。
換言すれば、上記のような傾きの緩やかなパルスに対して、ネガティブな極性の残留電荷を残すことによって、ポジティブな極性の残留電荷を残す場合と比較して同パルスの印加時間を短縮することができる。さらに、駆動回路の出力側に抵抗を持たせることにより上記パルスを生成している場合、放電による大きなドロップを防止して、安定したプラズマディスプレイパネルの駆動を実現することが可能になる。
【００２９】
要約すれば、本発明では、▲１▼プライミングの全くないセル起動時に印加するパルスと、その後のプライミング放電を行うために印加するパルスとを分けたり、▲２▼フレームに対するプライミング放電の回数を最適化したり、▲３▼維持放電を行ったセルに対してのみ自己消去放電を発生させたり、▲４▼傾きの緩やかな全セル書き込みパルスに対して、ネガティブな極性の電荷を残留させたりすることで、背景発光が上昇するのを防止し、安定したプラズマディスプレイパネルの駆動を実現することが可能になる。
【００３０】
【発明の実施の形態】
以下、添付図面（図１〜図１９）を参照しながら、本発明の実施の形態（以下、実施例とよぶ）を説明する。
図１は、本発明の好ましい実施例に使用されるフレームの構成例を示す図である。ただし、ここでは、フレームの構成を簡略化して示すこととする。
【００３１】
図１に示すように、１表示画面を形成するための一つのフレームは、複数のサブフレーム、例えば、第１のサブフレーム〜第３のサブフレームに区分される。第１のサブフレーム〜第３のサブフレームにおける維持放電期間は、それぞれＴ１、２Ｔ１および４Ｔ１となっており、上記の３つのサブフレームの各々ではその維持放電期間の長さに比例した回数だけ維持放電が行われる。このような維持放電を実行することによって、８階調の輝度の表示データを表示することができる。同様に、サブフレームの数を８に設定した場合は、これらのサブフレームのおける維持放電期間は、それぞれＴ１、２Ｔ１、４Ｔ１、８Ｔ１、１６Ｔ１、３２Ｔ、６４Ｔ１、１２８Ｔ１となり、２５６階調の輝度の表示データを表示することができる。
【００３２】
各々のサブフレームは、リセット期間およびアドレス期間Ｒ／Ａと、上記のアドレス放電を維持するための維持放電を利用して選択されたセルの発光表示を繰り返し行う維持放電期間Ｓとを有している。
図２は、本発明の第１の実施例を示す図である。なお、これ以降、前述した構成要素と同様のものについては、同一の参照番号を付して表すこととする。
【００３３】
図２に示す第１の実施例においては、セル起動時のプライミングが全くない状態でのみ、その後に繰り返されるプライミングパルスの電圧Ｖｗ′より高い電位のプライミングパルス（電圧Ｖｗ）をＸ電極に印加することにより、プライミングパルスの放電規模を適正にして、背景発光の上昇を防止している。
図３は、本発明の第２の実施例に係るプラズマディスプレイパネル駆動方法を説明するためのタイミングチャートである。
【００３４】
図３に示す第２の実施例においては、２つ以上のフレームに対し１度だけ、少なくとも一つの表示ラインの全セルに対しプライミング放電を実行するようにしている。すなわち、プライミング放電を行うための電圧Ｖｗのプライミングパルスを印加する間隔を２フレーム以上に設定している。
このように、プライミングパルスの間隔を２フレーム以上の任意の値に設定することによって、各フレーム毎にプライミングパルスを印加する場合に比べて背景発光の輝度を低減させることができる。
【００３５】
図４は、本発明の第３の実施例に係るプラズマディスプレイパネル駆動方法を説明するためのタイミングチャート、図５は、図４の実施例において維持放電を行う場合と維持放電を行わない場合の自己消去放電電位の変化の様子を示す図、および、図６は、図４の実施例において維持放電を行わない場合に負の極性の壁電荷が残留する様子を示す図である。
【００３６】
図４に示す第３の実施例においては、全セル書き込み放電および全セル自己消去放電を行うためのプライミングパルスをＸ電極に印加した後に、維持放電を行ったセルに対してのみ自己消去放電を実行するために、維持放電期間の最後のパルスをＹ電極に供給するようにしている。これにより、消去パルスの実行電位を調整するようにしている。
【００３７】
さらに詳しく説明すると、図４および図５に示すように、各フレームの最初のプライミング放電にて印加した電圧Ｖｗのプライミングパルスが立ち下がったときに全セル自己消去放電が実行され、Ｘ電極に負の壁電荷が残留し、Ｙ電極に正の壁電荷が残留する（すなわち、消去パルスに対し負の極性の壁電荷が残留する）。さらに、各サブフレームの維持放電期間において維持放電を行ったセルに対しては、サステインパルスの最後に形成される消去パルスに対して正の極性の壁電荷の壁電圧を、この消去パルスの電圧Ｖｗ′に重畳して書き込み放電を行うことにより、自己消去放電を発生させることも可能である。
【００３８】
また一方で、維持放電を行わないセルに対しては、図４および図６に示すように、プライミング放電で形成された負の壁電荷がＸ電極に残留し、正の壁電荷がＹ電極に残留する。この場合、上記の壁電荷による壁電圧が、消去パルスの電圧Ｖｗ′から差し引かれることになる。それゆえに、維持放電を行わないセルに対しては、サブフレームのリセット期間では、書き込み放電および自己消去放電が実行されないことになる。
【００３９】
図７は、本発明の第４の実施例に係るプラズマディスプレイパネル駆動方法を説明するためのタイミングチャートである。
図７に示す実施例においては、傾きの緩やかなランプ波の書き込みパルス（ピーク電圧Ｖｗｒ）をＸ電極に印加するようにしている。このような傾きの緩やかな書き込みパルスを印加した場合、ランプ波の電圧の上昇に伴って微弱な放電が繰り返し行われることになる。このとき、ランプ波の直前の壁電荷の極性をランプ波に対して逆の極性にすることで、ピーク電圧Ｖｗｒの矩形状の書き込みパルスを印加する時間が実質的に短縮されたことになる。
【００４０】
また一方で、駆動回路の出力側に抵抗を持たせることにより上記の傾きの緩やかな書き込みパルスを生成している場合、放電による大きなドロップを防止して、安定したプラズマディスプレイパネルの駆動を実現することが可能になる。
ついで、図８〜図１３を参照しながら、図７の第４の実施例に関連した幾つかの変形例を説明する。
【００４１】
図８〜図１３は、図７の実施例においてランプ波の書き込みパルスに対し負極性の壁電荷を形成するための第１具体例〜第６具体例をそれぞれ示す駆動電圧波形図である。
図８に示す第１具体例においては、維持放電を実行した後、傾きの緩やかなランプ波の書き込みパルスを印加する電極と同じ電極（Ｘ電極）に対し、傾きの緩やかなランプ波の書き込みパルスとは逆極性の傾きの緩やかな消去パルスを印加している。このような傾きの緩やかな消去パルスにより消去放電を行うことによって、書き込みパルスにより形成される壁電荷と同じ極性の壁電荷を残留させることができる。
【００４２】
図９に示す第２具体例においては、維持放電を実行した後、傾きの緩やかなランプ波の書き込みパルスを印加する電極と同じ電極（Ｘ電極）に対し、傾きの緩やかなランプ波の書き込みパルスとは逆極性の太幅消去パルスを印加して消去放電を行うようにしている。このような太幅消去パルスにより消去放電を行うことによって、書き込みパルスにより形成される壁電荷と同じ極性の壁電荷を残留させることができる。
【００４３】
図１０に示す第３具体例においては、維持放電を実行した後、傾きの緩やかなランプ波の書き込みパルスを印加する電極と同じ電極（Ｘ電極）に対し、傾きの緩やかなランプ波の書き込みパルスと同じ極性の細幅消去パルスを印加して消去放電を行うようにしている。このような細幅消去パルスにより消去放電を行うことによって、書き込みパルスにより形成される壁電荷と同じ極性の壁電荷を残留させることができる。
【００４４】
図１１に示す第４具体例においては、維持放電を実行した後、傾きの緩やかなランプ波の書き込みパルスを印加する電極とは逆の電極（Ｙ電極）に対し、傾きの緩やかなランプ波の書き込みパルスと同じ極性の傾きの緩やかな消去パルスを印加して消去放電を行うようにしている。このような傾きの緩やかな消去パルスにより消去放電を行うことによって、書き込みパルスにより形成される壁電荷と同じ極性の壁電荷を残留させることができる。
【００４５】
図１２に示す第５具体例においては、維持放電を実行した後、傾きの緩やかなランプ波の書き込みパルスを印加する電極とは逆の電極（Ｙ電極）に対し、傾きの緩やかなランプ波の書き込みパルスと同じ極性の太幅消去パルスを印加して消去放電を行うようにしている。このような太幅消去パルスにより消去放電を行うことによって、書き込みパルスにより形成される壁電荷と同じ極性の壁電荷を残留させることができる。
【００４６】
図１３に示す第６具体例においては、維持放電を実行した後、傾きの緩やかなランプ波の書き込みパルスを印加する電極とは逆の電極（Ｙ電極）に対し、傾きの緩やかなランプ波の書き込みパルスとは逆の極性の細幅消去パルスを印加して消去放電を行うようにしている。このような細幅消去パルスにより消去放電を行うことによって、書き込みパルスにより形成される壁電荷と同じ極性の壁電荷を残留させることができる。
【００４７】
図１４は、本発明の実施例に係る駆動方法が適用されるプラズマディスプレイパネル駆動装置の概略的構成を示すブロック図である。
本発明の実施例に係る駆動方法は、好ましくは、３電極・面放電型ＡＣプラズマディスプレイパネルからなる表示パネルに適用されるものであり、かつ、リセット放電、アドレス放電および維持放電を含む複数のサブフレームを有するフレームにより構成される駆動シーケンスに適用されるものである。
【００４８】
図１４において、６０は制御回路であり、外部から入力される転送クロックＣＬＫ、表示データＤＡＴＡ、垂直同期信号ＶＳＹＮＣおよび水平同期信号ＨＳＹＮＣに基づいて、リセット放電、アドレス放電および維持放電を実行するための各種の駆動電圧パルスを表示パネル７０に供給する順序を制御するものである。さらに、図１５においては、Ｘ電極（Ｘ）にプライミングパルスともよばれる）およびサステインパルスを供給するＸ側高圧パルス発生回路２０と、Ｙ電極（Ｙ１  〜Ｙｎ  ）に走査パルスを供給するＹスキャンドライバ４０と、Ｙ電極に走査パルス以外の駆動電圧パルスを供給するＹ側高圧パルス発生回路３０と、アドレス電極（Ａ１  〜ＡＭ  ）にアドレスパルスを供給するアドレスドライバ５０とが設けられている。
【００４９】
アドレスドライバ５０は、制御回路６０からの表示データＡ−ＤＡＴＡや転送クロックＡ−ＣＬＯＣＫやラッチクロックＡ−ＬＡＴＣＨに従ってアドレス電極Ａ１  〜ＡＭ  を順次に選択し電圧Ｖａを与えるものである。
さらに、Ｘ側高圧パルス発生回路２０やＹスキャンドライバ４０やＹ側高圧パルス発生回路３０は、制御回路６０からのＸアップドライブ信号Ｘ−ＵＤ、Ｘダウンドライブ信号Ｘ−ＤＤ、スキャンデータＹ−ＤＡＴＡ、ＹクロックＹ−ＣＬＯＣＫ、第１ＹストローブＹ−ＳＴＢ１、第２ＹストローブＹ−ＳＴＢ２、Ｙアップドライブ信号Ｙ−ＵＤ、およびＹダウンドライブ信号Ｙ−ＤＤに従ってＹ電極Ｙ１  〜ＹＮ  やＸ電極を所定の電圧（Ｖｗ、Ｖｓ、Ｖａ等）で駆動するものである。
【００５０】
図１４に示す本発明のプラズマディスプレイパネル駆動装置では、Ｘ側高圧パルス発生回路２０（またはＹ側高圧パルス発生回路３０）の回路構成に改良を加えることにより、セル起動時のみ供給される高電圧のプライミングパルス、およびセル起動時のプライミング放電後の低電圧のプライミングパルスからなる２種類のプライミングパルスを生成することができるようにしている。
【００５１】
図１５は、上記のような２種類のプライミングパルスを生成する回路の第１具体例を示す回路図であり、図１６は、図１５の回路におけるプライミングパルス電位の変化の様子を示す駆動電圧波形図である。ただし、図１５では、Ｘ側高圧パルス発生回路２０の主要部の構成を示すこととする。
図１５においては、セル起動時の高電圧のプライミングパルス（電圧Ｖｗ１＋Ｖｓ）を生成するための高電圧プライミングパルス生成部が、トランジスタ等のスイッチ素子２１と、電圧クランプ用ダイオード２３、２５と、高電圧のプライミングパルス転送用のコンデンサ２４とを備えている。さらに、高電圧のプライミングパルスを転送するラインは、スイッチ素子２３ｓを介してアース電位ＧＮＤに接続されることにより、電圧Ｖｓをコンデンサ２４にチャージする。
【００５２】
また一方で、セル起動時のプライミング放電後の低電圧のプライミングパルス（電圧Ｖｗ２＋Ｖｓ：Ｖｗ１＞Ｖｗ２）を生成するための低電圧プライミングパルス生成部８０が、トランジスタ等のスイッチ素子８２と、電圧クランプ用ダイオード８３とを備えている。ここで、スイッチ素子２１、２３ｓおよび８１は、代表的に、スイッチングＦＥＴ（Ｆｉｅｌｄ  Ｅｆｆｅｃｔ  Ｔｒａｎｓｉｓｔｏｒ  ：電界効果トランジスタ）から構成され、これらのＦＥＴ内のダイオードが図示されている。
【００５３】
さらに、図１６においては、制御回路２０からのＸアップドライブ信号Ｘ−ＵＤおよびＸダウンドライブ信号Ｘ−ＤＤに基づいて、電圧Ｖｗ２＋ＶｓもしくはＶｗ１＋Ｖｓ、Ｖｓまたはアース電位ＧＮＤをＸ電極に供給するための出力トランジスタ等の出力スイッチ素子２６、２８が設けられている。これらの出力スイッチ素子２６、２８も、スイッチングＦＥＴから構成され、これらのＦＥＴ内のダイオードが図示されている。上記の高電圧プライミングパルス生成部の動作と、低電圧プライミングパルス生成部の動作とは、制御回路２０からのプライミングパルス切り替え制御信号Ｓｃ１およびＳｃ２をスイッチ素子２１および８１にそれぞれ入力することによって切り替えることができる。例えば、図１６に示すように、セル起動時には、スイッチ素子２１をオン状態にして高電圧プライミングパルス生成部を動作させることによって、高電圧プライミングパルス（第１のプライミングパルス）の電位が供給される。これに対し、セル起動時のプライミング放電が実行された後は、スイッチ素子８１をオン状態にして低電圧プライミングパルス生成部を動作させることによって、低電圧プライミングパルス（第２のプライミングパルス）の電位が供給される。
【００５４】
なお、これまでは、Ｘ電極側に２種類のプライミングパルスを印加する場合のＸ側高圧パルス発生回路２０の構成を説明したが、Ｙ電極側にプライミングパルスを印加する場合にも同様の構成のＹ側高圧パルス発生回路を使用することによって２種類のプライミングパルスを印加することが可能になる。
図１７は、２種類のプライミングパルスを生成する回路の第２具体例を示す回路図である。
【００５５】
図１７においては、前述の図１５の高電圧プライミングパルス生成部と同じ構成の高電圧プライミングパルス生成部が設けられている。さらに、高電圧のプライミングパルスを転送するラインは、スイッチ素子３１を介してアース電位ＧＮＤに接続されることにより、電圧Ｖｓをコンデンサ２４にチャージする。
さらに、図１７においては、セル起動時のプライミング放電後の低電圧のプライミングパルスを生成するための低電圧プライミングパルス生成部８５が、トランジスタ等のスイッチ素子８６と、電圧クランプ用ダイオード８８とを備えている。この低電圧プライミングパルス生成部８５は、前述の図１６の場合と異なり、出力端子（ＯＵＴ）に直接接続される。ここで、スイッチ素子３１、８６は、スイッチ素子２１の場合と同じように、スイッチングＦＥＴから構成され、これらのＦＥＴ内のダイオードが図示されている。
【００５６】
さらに、図１８においては、前述の図１６の場合と同様に、出力スイッチ素子２６、２８が設けられている。
上記の高電圧プライミングパルス生成部の動作と、低電圧プライミングパルス生成部の動作とは、制御回路２０からのプライミングパルス切り替え制御信号Ｓｃ１およびＳｃ２をスイッチ素子２１および８６に入力することによって切り替えることができる。ただし、この場合は、低電圧プライミングパルス生成部により生成された電圧Ｖｗ２′の低電圧プライミングパルスは、Ｘ電極に直接供給される。
【００５７】
ここでも、Ｘ電極側に２種類のプライミングパルスを印加する場合のＸ側高圧パルス発生回路２０の構成を説明したが、Ｙ電極側にプライミングパルスを印加する場合にも同様の構成のＹ側高圧パルス発生回路を使用することによって２種類のプライミングパルスを印加することが可能になる。
図１８は、Ｘ電極側にパルス回路を追加することなく２種類のプライミングパルスを生成する方法を示す駆動電圧波形図である。
【００５８】
ここでは、Ｘ側高圧パルス発生回路２０内に、図１５に示したようなセル起動時の高電圧プライミングパルス（電圧Ｖｓ＋Ｖｗ１）を生成するための高電圧プライミングパルス生成部のみを設け、Ｙ側高圧パルス発生回路３０内の、逆極性の電圧−Ｖｗ３をＹスキャンパルス電圧と共通化する。これにより、電圧Ｖｗ１を電圧Ｖｓに重畳するときとしないときで、２つの電位を設けることができる。
【００５９】
【発明の効果】
以上説明したように、本発明のプラズマディスプレイパネル駆動方法によれば、第１に、セルを起動するときのみ、上記セルの放電開始電圧を超える高電圧のプライミングパルスを印加し、以後のプライミング放電を実行するときには、低電圧のプライミングパルスを印加しているので、必要以上に大きな放電が発生するのを抑止され、背景発光の低減が図れる。
【００６０】
さらに、本発明のプラズマディスプレイパネル駆動方法によれば、第２に、２つ以上のフレームに対し一度だけプライミング放電を実行しているので、余計な消費電力の発生を抑えると共に、背景発光を従来よりも低減させることが可能になる。
さらに、本発明のプラズマディスプレイパネル駆動方法によれば、第３に、プライミング放電の残留電荷を消去パルスに対して負の極性にし、、維持放電を実行したセルに形成される壁電荷を消去パルスに対して正の極性にして、この壁電荷を利用することにより、上記維持放電を行うセルに対してのみ消去放電を行うようにしているので、壁電荷の有効利用が図れると共に、背景発光の低減が図れる。
【００６１】
さらに、本発明のプラズマディスプレイパネル駆動方法によれば、第４に、傾きの緩やかな波形の電圧パルスを使用し、背景発光の小さなプライミング放電を繰り返すようにして背景発光の低減を図ったときに、この傾きの緩やかな波形に対して、直前の壁電荷を負の極性で残留させることにより、パルスの印加時間を短縮することが可能になる。
【図面の簡単な説明】
【図１】本発明の好ましい実施例に使用されるフレームの構成例を示す図である。
【図２】本発明の第１の実施例を示すブロック図である。
【図３】本発明の第２の実施例に係るプラズマディスプレイパネル駆動方法を説明するためのタイミングチャートである。
【図４】本発明の第３の実施例に係るプラズマディスプレイパネル駆動方法を説明するためのタイミングチャートである。
【図５】図４の実施例において維持放電を行う場合と維持放電を行わない場合の自己消去放電電位の変化の様子を示す図である。
【図６】図４の実施例において維持放電を行わない場合に負の極性の壁電荷が残留する様子を示す図である。
【図７】本発明の第４の実施例に係るプラズマディスプレイパネル駆動方法を説明するためのタイミングチャートである。
【図８】図７の実施例においてランプ波の書き込みパルスに対し負極性の壁電荷を形成するための第１具体例を示す駆動電圧波形図である。
【図９】図７の実施例においてランプ波の書き込みパルスに対し負極性の壁電荷を形成するための第２具体例を示す駆動電圧波形図である。
【図１０】図７の実施例においてランプ波の書き込みパルスに対し負極性の壁電荷を形成するための第３具体例を示す駆動電圧波形図である。
【図１１】図７の実施例においてランプ波の書き込みパルスに対し負極性の壁電荷を形成するための第４具体例を示す駆動電圧波形図である。
【図１２】図７の実施例においてランプ波の書き込みパルスに対し負極性の壁電荷を形成するための第５具体例を示す駆動電圧波形図である。
【図１３】図７の実施例においてランプ波の書き込みパルスに対し負極性の壁電荷を形成するための第６具体例を示す駆動電圧波形図である。
【図１４】本発明の実施例に係る駆動方法が適用されるプラズマディスプレイパネル駆動装置の概略的構成を示すブロック図である。
【図１５】２種類のプライミングパルスを生成する回路の第１具体例を示す回路図である。
【図１６】図１５の回路におけるプライミングパルス電位の変化の様子を示す駆動電圧波形図である。
【図１７】２種類のプライミングパルスを生成する回路の第２具体例を示す回路図である。
【図１８】Ｘ電極側パルス回路を追加することなく２種類のプライミングパルスを生成する方法を示す駆動電圧波形図である。
【図１９】一般の面放電型プラズマディスプレイパネルの概略的構成を示す平面図である。
【図２０】図１９のセルの基本構造を示す概略的断面図である。
【図２１】従来のプラズマディスプレイパネル駆動方法を説明するためのタイミングチャートである。
【符号の説明】
１…パネル
２…Ｘ電極
３−１〜３−Ｎ…Ｙ電極
Ａ１〜ＡＭ…アドレス電極
５…セル
６…障壁
８…前面ガラス基板
９…背面ガラス基板
１０…誘電体層
１１…ＭｇＯ膜
１２…蛍光体
１３…バス電極
１４…透明電極
２０…Ｘ側高圧パルス発生回路
３０…Ｙ側高圧パルス発生回路
４０…Ｙスキャンドライバ
５０…アドレスドライバ
６０…制御回路
７０…表示パネル
８０、８５…低電圧プライミングパルス生成部
【図１】
0003556097.tif 000002
【図２】
0003556097.tif 000003
【図３】
0003556097.tif 000004
【図４】
0003556097.tif 000005
【図５】
0003556097.tif 000006
【図６】
0003556097.tif 000007
【図７】
0003556097.tif 000008
【図８】
0003556097.tif 000009
【図９】
0003556097.tif 000010
【図１０】
0003556097.tif 000011
【図１１】
0003556097.tif 000012
【図１２】
0003556097.tif 000013
【図１３】
0003556097.tif 000014
【図１４】
0003556097.tif 000015
【図１５】
0003556097.tif 000016
【図１６】
0003556097.tif 000017
【図１７】
0003556097.tif 000018
【図１８】
0003556097.tif 000019
【図１９】
0003556097.tif 000020
【図２０】
0003556097.tif 000021
【図２１】
0003556097.tif 000022